(57)【要約】【課題】液晶表示パネルの透過表示領域および液晶表示領域における表示の視認性を向上させる。【解決手段】液晶表示領域９と透過表示領域１０とを、両透明基板６の間隙に配置されるシール材１７によってそれぞれ区画し、液晶表示パネル５における液晶表示領域９のみの視認側および反視認側に視認側偏光板２１および反視認側偏光板２２を配設し、視認側偏光板２１の外縁を、シール材１７の液晶表示区画部１７Ａの外縁に沿って配設される大きさに形成し、反視認側偏光板２２の外縁を、シール材１７の液晶表示区画部１７Ａの内縁に沿って配設される大きさに形成し、両透明基板６の間隙の透過表示領域１０に対応する位置に液晶７を封入し、液晶表示領域９に液晶７を注入する第１液晶７注入口および透過表示領域１０に液晶７を注入する第２液晶７注入口を、液晶表示パネル５における同一辺に形成する。【選択図】図１
2008112110.tif 000002
【特許請求の範囲】
【請求項１】
一対の基板の間隙に封入された液晶の駆動によって表示を行う液晶表示領域と、
前記両基板を透過して反視認側の表示が視認可能な透過表示領域とを有する液晶表示パネルを備えた液晶表示装置であって、
前記液晶表示領域と前記透過表示領域とが、前記両基板の間隙に配置されるシール材によってそれぞれ区画されており、
前記液晶表示パネルにおける前記液晶表示領域のみの視認側および反視認側に偏光板が配設されていることを特徴とする液晶表示装置。
【請求項２】
前記液晶表示領域の視認側に配設された視認側偏光板の外縁は、前記シール材のうち前記液晶表示領域を区画する液晶表示区画部の外縁に沿って配設される大きさに形成されており、前記液晶表示領域の反視認側に配設された反視認側偏光板の外縁は、前記シール材における前記液晶表示区画部の内縁に沿って配設される大きさに形成されている請求項１に記載の液晶表示装置。
【請求項３】
前記両基板の間隙における前記透過表示領域に対応する位置に前記液晶が封入され、前記液晶表示領域に前記液晶を注入する第１注入口および前記透過表示領域に前記液晶を注入する第２注入口は、前記液晶表示パネルにおける同一辺に形成されている請求項１または２に記載の液晶表示装置。
【発明の詳細な説明】
【技術分野】
【０００１】
本発明は液晶表示装置に係り、特に、一対の基板の間隙に封入された液晶の駆動によって表示を行う液晶表示領域と、両基板を透過して反視認側の表示が視認可能な透過表示領域とを有する液晶表示パネルを備えた液晶表示装置に関する。
【背景技術】
【０００２】
従来より、例えば車両、船舶、航空機等の操作表示装置や、機械の制御・監視表示装置等の表示装置において、速度計や測量機器等の表示体の視認側に配置され、一部において液晶の駆動により表示を行い、他の部分において前記表示体の表示を透過させるとともに前記表示体を保護する機能を兼用する液晶表示パネルを備えた液晶表示装置が知られている。
【０００３】
このような表示体の視認側に配置される液晶表示装置における液晶表示パネルは、液晶の駆動によって表示を行う液晶表示領域と、表示体の表示を透過させる透過表示領域とを有している。この液晶表示パネルは、一対の基板の相互に対向する内面における液晶表示領域に対応する部分に表示用電極が設けられており、また、両基板の内面における外周縁部にはシール材が配置され、両基板およびシール材に囲まれた内部には液晶が封入されている。
【０００４】
そして、この液晶表示パネルの視認側には、液晶表示パネルの視認面の全面に対向するように視認側偏光板が設けられているとともに、液晶表示パネルの反視認側には、液晶表示パネルの反視認面の全面に対向するように反視認側偏光板が設けられている。
【発明の開示】
【発明が解決しようとする課題】
【０００５】
しかし、このような従来の液晶表示装置を用いた場合、透過表示領域においては、視認側偏光板および反視認側偏光板の２枚の偏光板を介して表示体の表示を視認することとなる。このため、両偏光板を介することにより透過率が低下して、表示体の表示が暗くなってしまい、表示体の視認性が低下してしまうという問題を有していた。
【０００６】
また、このような問題を解決し、液晶表示パネルの透過表示領域における透過率の向上を図るため、液晶表示パネルにおける透過表示領域に対応する部分に視認側偏光板および反視認側偏光板を配置しない液晶表示装置が考えられている。しかし、このような液晶表示装置においては、液晶表示パネルにおける透過表示領域に偏光板が配設されていないため、透過表示領域において紫外線が液晶に照射されてしまい、この紫外線により液晶が分解して劣化し、液晶特性が低下してしまうこととなる。そして、液晶特性が低下した液晶が液晶表示領域に移動してしまうことにより、液晶表示領域における表示品質が低下してしまうおそれがあるという問題を有していた。
【０００７】
本発明はこれらの点に鑑みてなされたものであり、液晶表示パネルの透過表示領域および液晶表示領域における表示の視認性を向上させることができる液晶表示装置を提供することを目的とする。
【課題を解決するための手段】
【０００８】
前記目的を達成するため、請求項１に記載の発明に係る液晶表示装置の特徴は、一対の基板の間隙に封入された液晶の駆動によって表示を行う液晶表示領域と、前記両基板を透過して反視認側の表示が視認可能な透過表示領域とを有する液晶表示パネルを備えた液晶表示装置であって、前記液晶表示領域と前記透過表示領域とが、前記両基板の間隙に配置されるシール材によってそれぞれ区画されており、前記液晶表示パネルにおける前記液晶表示領域のみの視認側および反視認側に偏光板が配設されている点にある。
【０００９】
この請求項１に記載の発明に係る液晶表示装置によれば、液晶表示パネルにおいて液晶表示領域と透過表示領域とがシール材によって区画されているので、透過表示領域の視認側および反視認側に偏光板を配設せず、透過表示領域において液晶が紫外線等により劣化してしまっても、透過表示領域に封入された液晶と液晶表示領域に封入された液晶とが混入してしまうのを防止することができる。このため、透過表示領域の視認側および反視認側に偏光板を設けることなく、液晶表示領域における表示品質の低下を防止することができるので、透過表示領域における透過率を向上させることができる。
【００１０】
また、請求項２に記載の発明に係る液晶表示装置の特徴は、前記液晶表示領域の視認側に配設された視認側偏光板の外縁は、前記シール材のうち前記液晶表示領域を区画する液晶表示区画部の外縁に沿って配設される大きさに形成されており、前記液晶表示領域の反視認側に配設された反視認側偏光板の外縁は、前記シール材における前記液晶表示区画部の内縁に沿って配設される大きさに形成されている点にある。
【００１１】
この請求項２に記載の発明に係る液晶表示装置によれば、視認側偏光板は、視認側偏光板の外縁がシール材のうち液晶表示領域を区画する液晶表示区画部の外縁に沿って配設される大きさに形成されているので、液晶表示装置の視認側からシール材が視認されてしまうのを防止することができる。さらに、反視認側偏光板がシール材を被覆するように配設されると、シール材が液晶表示装置の視認側から視認されてしまうので、反視認側偏光板を、反視認側偏光板の外縁がシール材の液晶表示区画部の内縁に沿って配設される大きさに形成することにより、液晶表示装置の視認側からシール材が視認されてしまうのを防止することができる。
【００１２】
さらにまた、請求項３に記載の発明に係る液晶表示装置の特徴は、前記両基板の間隙における前記透過表示領域に対応する位置に前記液晶が封入され、前記液晶表示領域に前記液晶を注入する第１注入口および前記透過表示領域に前記液晶を注入する第２注入口は、前記液晶表示パネルにおける同一辺に形成されている点にある。
【００１３】
この請求項３に記載の発明に係る液晶表示装置によれば、液晶表示領域の第１注入口と透過表示領域の第２注入口とが、液晶表示パネルにおける同一辺に形成されており、液晶表示パネルにおける液晶表示領域および透過表示領域に同時に液晶を注入することができるので、液晶注入工程の効率を向上させることができる。
【発明の効果】
【００１４】
以上述べたように、本発明に係る液晶表示装置によれば、液晶表示領域と透過表示領域とをシール材によって区画するとともに、液晶表示パネルの透過表示領域における視認側および反視認側の両面に偏光板を配設することなく透過表示領域において表示体の表示が視認可能となる。これにより、液晶表示領域における表示品質の低下を引き起こすことなく、液晶表示装置の反視認側に配置された表示体を、液晶表示パネルの透過表示領域において明るく表示することができ、透過表示領域における表示の視認性を向上させることができる。
【発明を実施するための最良の形態】
【００１５】
以下、本発明に係る液晶表示装置が用いられた表示装置の一実施形態を図１および図２を参照して説明する。
【００１６】
図１は、本実施形態の表示装置を示す模式的平面図であり、図２は、図１のＡ−Ａにおける模式的断面図である。
【００１７】
図１および図２に示すように、本実施形態に係る表示装置１には、例えば、計測器や時計等の表示体２の視認側に液晶表示装置３が対向して配設されている。
【００１８】
液晶表示装置３における液晶表示パネル５は、ガラスやプラスチックからなる矩形状の一対の透明基板６を有しており、両透明基板６の間隙には、液晶７が封入されている。液晶表示パネル５は、液晶７の駆動によって表示を行う液晶表示領域９と、両透明基板６および液晶７を介し反視認側の表示体２を透過して視認可能な透過表示領域１０とを有している。本実施形態において、液晶表示領域９は液晶表示パネル５における中央部分から一端縁に至るように配置され略矩形状に形成されており、透過表示領域１０は、液晶表示領域９の３辺を囲み、液晶表示パネル５の外周縁に至るように配置されている。
【００１９】
両透明基板６の液晶表示領域９における相互に対向する内面には、ＩＴＯ（Indium Tin Oxide：インジウムスズ酸化物）等からなる複数の表示電極１２が設けられており、各表示電極１２は、両透明基板６の透過表示領域１０に延設されて図示しない引き回し配線とされている。各引き回し配線は、両透明基板６の透過表示領域１０において引き回された後、一方の透明基板６の一端部に延設されて図示しない電極端子とされており、各電極端子は、図示しない液晶駆動用回路に接続されている。そして、両透明基板６の内面には、それぞれ配向膜１５が設けられている。
【００２０】
両透明基板６の間隙には、両透明基板６を一体に保持するシール材１７が配設されており、液晶表示領域９と透過表示領域１０とは、シール材１７によってそれぞれ区画されるようになっている。
【００２１】
シール材１７における液晶表示領域９を区画する液晶表示区画部１７Ａのうち両透明基板６の一端縁に位置する部分には、両透明基板６の液晶表示領域９とシール材１７とに囲まれた内部に液晶７を注入するための第１注入口１８が形成されている。シール材１７における透過表示領域１０を区画する透過表示区画部１７Ｂには、液晶７を注入するための第２注入口１９が、液晶表示パネル５における第１注入口１８が形成された辺と同一辺に並列配置して形成されている。そして、液晶７は、第１注入口１８および第２注入口１９を介して、両透明基板６の間隙であってシール材１７によって区画された液晶表示領域９および透過表示領域１０にそれぞれ封入されるようになっている。本実施形態においては、シール材１７における液晶表示区画部１７Ａと透過表示区画部１７Ｂとは一部分において共通している。
【００２２】
液晶表示パネル５において液晶表示領域９に封入された液晶７は、配向膜１５によって所定の方向に配向されているとともに、透過表示領域１０に封入された液晶７も、液晶表示領域９に封入された液晶７と同様に配向膜１５によって所定の方向に配向されている。
【００２３】
液晶表示パネル５の液晶表示領域９における視認側には、視認側偏光板２１が配設されており、視認側偏光板２１の外縁は、シール材１７における液晶表示区画部１７Ａの外縁に沿って、液晶表示区画部１７Ａを被覆するように配設されている。また、液晶表示パネル５の液晶表示領域９における反視認側には、反視認側偏光板２２が配設されており、反視認側偏光板２２の外縁は、シール材１７における液晶表示区画部１７Ａの内縁に沿って、液晶表示区画部１７Ａを被覆しないように配設されている。そして、液晶表示パネル５の透過表示領域１０における視認側および反視認側には、偏光板が配設されないようになっている。
【００２４】
なお、本実施形態においては、視認側偏光板２１および反視認側偏光板２２の大きさは、本実施形態のものに限定されるものではなく、液晶表示パネル５の液晶表示領域９における視認側および反視認側に配設され、透過表示領域１０に延出しない大きさであればよい。
【００２５】
そして、液晶表示装置３は、液晶７の駆動がない場合には、液晶表示領域９および透過表示領域１０において反視認側から照射される照射光を液晶表示パネル５および両偏光板２１、２２を介して視認側に透過させるとともに、液晶表示領域９において所望の液晶７を駆動させる場合には、反視認側から照射される照射光を液晶７の駆動部分において遮断することにより、ポジ型の表示を行うようになっている。これにより、表示装置１は、透過表示領域１０において、液晶表示装置３の反視認側に配置された表示体２を視認することができるようになっている。
【００２６】
次に、本実施形態の作用について説明する。
【００２７】
本実施形態によれば、液晶表示パネル５における両透明基板６の間隙において液晶表示領域９と透過表示領域１０とはシール材１７によって区画されているので、透過表示領域１０の視認側および反視認側に偏光板を配設せずに、液晶表示パネル５における透過表示領域１０の液晶７が紫外線等により劣化してしまった場合であっても、透過表示領域１０に封入された液晶７と液晶表示領域９に封入された液晶７とが混入してしまうのを防止することができる。このため、透過表示領域１０の視認側および反視認側に偏光板を設けることなく、液晶表示領域９における表示品質の低下を防止することができるので、透過表示領域１０の両面に偏光板を設けないことにより、透過表示領域１０における透過率を向上させることができる。
【００２８】
したがって、液晶表示装置３は、液晶表示装置３の反視認側に配置された表示体２を透過表示領域１０を透過して明るく表示することができるので、透過表示領域１０における表示の視認性を向上させることができる。
【００２９】
また、視認側偏光板２１は、視認側偏光板２１の外縁がシール材１７のうち液晶表示領域９を区画する液晶表示区画部１７Ａの外縁に沿って配設される大きさに形成されているので、液晶表示装置３の視認側からシール材１７が視認されてしまうのを防止することができる。さらに、反視認側偏光板２２がシール材１７を被覆するように配設されると、シール材１７が液晶表示装置３の視認側から視認されてしまうので、反視認側偏光板２２を、反視認側偏光板２２の外縁がシール材１７の液晶表示区画部１７Ａの内縁に沿って配設される大きさに形成することにより、液晶表示装置３の視認側からシール材１７が視認されてしまうのを防止することができる。
【００３０】
さらに、液晶表示領域９の第１注入口１８と透過表示領域１０の第２注入口１９とは、液晶表示パネル５における同一辺に形成されており、液晶表示パネル５における液晶表示領域９および透過表示領域１０に同時に液晶７を注入することができるので、液晶注入工程の効率を向上させることができる。
【００３１】
なお、本発明は前記実施形態に限定されるものではなく、必要に応じて種々変更することが可能である。
【００３２】
例えば、本実施形態においては、液晶表示パネル５における透過表示領域１０には、液晶７が封入されているが、これに限定されるものではなく、液晶７以外の透明媒体を封入してもよく、さらには、何も封入しなくてもよい。液晶が注入されていることにより、透過表示領域１０に延設されている引き回し配線が視認される骨見え現象を防止することができる。また、環境試験などで、万一水分がシール材１７より浸透した場合であっても、引き回し配線が液晶７で覆われて電蝕するのを防止することができる。
【００３３】
また、液晶表示パネル５における液晶表示領域９と透過表示領域１０との配置位置等は、本実施形態のものに限定されるものではない。
【００３４】
さらに、本実施形態の液晶表示パネル５においては、透過表示領域１０に液晶７を注入する第２注入口１７が１つ設けられているが、これに限定されるものではない。例えば、本実施形態のように液晶表示領域９と透過表示領域１０が配置されている液晶表示パネル５においては、第１注入口１８が形成されている液晶表示パネル５の辺と同一辺に、第１注入口１８を挟んで２つの第２注入口１９を形成してもよい。これにより、液晶７を透過表示領域１０に迅速に注入することができ、液晶注入工程の効率をさらに向上させることができる。
【図面の簡単な説明】
【００３５】
【図１】本発明に係る液晶表示装置を用いた表示装置の一実施形態を示す模式的平面図
【図２】図１のＡ−Ａ線における模式的断面図
【符号の説明】
【００３６】
１  表示装置
２  表示体
３  液晶表示装置
５  液晶表示パネル
６  透明基板
７  液晶
９  液晶表示領域
１０  透過表示領域
１２  表示電極
１５  配向膜
１７  シール材
１７Ａ  液晶表示区画部
１７Ｂ  透過表示区画部
１８  第１注入口
１９  第２注入口
２１  視認側偏光板
２２  反視認側偏光板
【図１】
2008112110.tif 000003
【図２】
2008112110.tif 000004